(57)【要約】【課題】呼制御装置で管理しているセッションを統合制御装置と機能提供装置が同一のセッションとして認識でき、さらに機能提供装置が一般の端末や他の呼制御装置からの不正使用されることを抑制する。【解決手段】統合制御装置からの指示により、呼制御装置に対して端末からのセッションを接続するステップと、端末と機能提供装置との間のセッションの特定に必要なセッション情報を呼制御装置から統合制御装置へ通知するステップと、呼制御装置と機能提供装置で管理しているセッションの対応付けを行い、関連付けられたセッション情報を統合制御装置から機能提供装置に通知するステップと、機能提供装置で、端末との間に設定されたセッションから得られる識別子相当情報と、統合制御装置から通知されたセッション情報とを照合し、照合したセッションを介して機能提供装置から端末へ機能を提供するステップとを有する。【選択図】　　　　図５
2004080606.tif 000002
【特許請求の範囲】
【請求項１】
端末とのセッションを管理する少なくとも１つの呼制御装置と、端末に対して所定の機能を提供する少なくとも１つの機能提供装置と、それらを統合して管理する統合制御装置により構成され、
前記呼制御装置は、前記端末のセッションを制御するための手段と、セッション情報を前記統合制御装置へ通知する手段とを備え、
前記機能提供装置は、前記端末とのセッションを終端する手段と、セッションの特定に必要な情報を管理する手段と、その情報と前記統合制御装置から通知されたセッション情報を関連付け、関連付けられたセッションを介して前記端末へ機能を提供する手段とを備え、
前記統合制御装置は、前記呼制御装置および前記機能提供装置との通信制御を行う手段と、前記呼制御装置と前記機能提供装置で管理しているセッションの対応付けを行い、関連付けられたセッション情報を前記機能提供装置に通知する手段とを備えた
ことを特徴とするセッション管理システム。
【請求項２】
端末とのセッションを管理する少なくとも１つの呼制御装置と、端末に対して所定の機能を提供する少なくとも１つの機能提供装置と、それらを統合して管理する統合制御装置により構成されたセッション管理システムのセッション管理方法において、
前記統合制御装置からの指示により、前記呼制御装置に対して前記端末からのセッションを接続するステップと、
前記端末と前記機能提供装置との間のセッションの特定に必要なセッション情報を前記呼制御装置から前記統合制御装置へ通知するステップと、
前記呼制御装置と前記機能提供装置で管理しているセッションの対応付けを行い、関連付けられたセッション情報を前記統合制御装置から前記機能提供装置に通知するステップと、
前記機能提供装置で、前記端末との間に設定されたセッションから得られる識別子相当情報と、前記統合制御装置から通知されたセッション情報とを照合し、照合したセッションを介して前記機能提供装置から前記端末へ機能を提供するステップと
を有することを特徴とするセッション管理方法。
【請求項３】
請求項２に記載のセッション管理方法において、
前記機能提供装置で、前記端末との間に設定されたセッションから得られる識別子相当情報について、前記統合制御装置から通知される予定のセッション情報との照合ができないときに、当該セッションを切断するステップを有することを特徴とするセッション管理方法。
【請求項４】
請求項２に記載のセッション管理方法において、
前記セッションの特定に必要なセッション情報として、端末制御プロトコルで使用されているセッションを特定するためのＩＤを用いることを特徴とするセッション管理方法。
【請求項５】
請求項２に記載のセッション管理方法において、
前記セッションの特定に必要なセッション情報として、端末制御プロトコルの発信者端末を特定するための情報領域を用いることを特徴とするセッション管理方法。
【請求項６】
請求項５に記載のセッション管理方法において、
前記発信者端末の情報を前記統合制御装置で管理し、前記統合制御装置から前記機能提供装置に端末制御プロトコルの発信者端末を特定するための情報を通知することを特徴とするセッション管理方法。
【発明の詳細な説明】
【０００１】
【発明の属する技術分野】
本発明は、例えばＩＰネットワークを利用して音声信号を送るＶｏＩＰ網において、端末とのセッションを管理する呼制御装置と、端末に所定の機能（例えば電話会議、録音・再生）を提供する機能提供装置と、それらを統合して管理する統合制御装置との間で、呼制御装置で管理しているセッションを機能提供装置が同一のセッションとして認識し、連携して機能を提供するセッション管理システムおよびセッション管理方法に関する。
【０００２】
【従来の技術】
図８は、ＶｏＩＰ網の構成例を示す。図において、ＶｏＩＰ網７１には、端末７２−１〜７２−３とのセッションを管理する少なくとも１つの呼制御装置（ＳＩＰ　Ｐｒｏｘｙ　：セッション　イニシエイション　プロトコル　　プロクシー）７３と、端末に録音・再生機能を提供する少なくとも１つの機能提供装置（ＩＶＲ：インタラクティブ　ヴォイス　レスポンス）７４が配置され、それらを統合して管理する統合制御装置７５が接続される。
【０００３】
なお、ＶｏＩＰ網７１で動作する機能提供装置（ＩＶＲ）７４は、呼制御機能と音声再生機能を備えており、端末からの接続要求に応じた音声の録音・再生機能の提供が可能になっている。また、機能提供装置（ＩＶＲ）７４の代わりに、図９に示すように会議ブリッジ機能を提供する機能提供装置（ＭＣＵ：マルチポイント　コントロール　ユニット）７６を配置したＶｏＩＰ網７１もある。
【０００４】
【発明が解決しようとする課題】
ところで、ＶｏＩＰ網７１では、同一の端末から２つ以上のコネクションを張ることが可能であるが、その場合には呼制御装置７３で管理しているセッションを機能提供装置７４，７６が同一のセッションとして認識し、連携して機能を提供できることが望ましいが、従来の統合制御装置７５にはその手段がなかった。
【０００５】
また、ＶｏＩＰ網７１では、機能提供装置７４，７６が端末として扱われるために、一般の端末７２からも容易に接続可能であり、セキュリティを確保することが困難であった。
【０００６】
本発明は、呼制御装置で管理しているセッションを統合制御装置と機能提供装置が同一のセッションとして認識でき、さらに機能提供装置が一般の端末や他の呼制御装置からの不正使用されることを抑制できるセッション管理システムおよびセッション管理方法を提供することを目的とする。
【０００７】
【課題を解決するための手段】
本発明のセッション管理システムは、端末とのセッションを管理する少なくとも１つの呼制御装置と、端末に対して所定の機能を提供する少なくとも１つの機能提供装置と、それらを統合して管理する統合制御装置により構成され、呼制御装置は、端末のセッションを制御するための手段と、セッション情報を統合制御装置へ通知する手段とを備え、機能提供装置は、端末とのセッションを終端する手段と、セッションの特定に必要な情報を管理する手段と、その情報と統合制御装置から通知されたセッション情報を関連付け、関連付けられたセッションを介して端末へ機能を提供する手段とを備え、統合制御装置は、呼制御装置および機能提供装置との通信制御を行う手段と、呼制御装置と機能提供装置で管理しているセッションの対応付けを行い、関連付けられたセッション情報を機能提供装置に通知する手段とを備える。
【０００８】
本発明は、端末とのセッションを管理する少なくとも１つの呼制御装置と、端末に対して所定の機能を提供する少なくとも１つの機能提供装置と、それらを統合して管理する統合制御装置により構成されたセッション管理システムのセッション管理方法において、統合制御装置からの指示により、呼制御装置に対して端末からのセッションを接続するステップと、端末と機能提供装置との間のセッションの特定に必要なセッション情報を呼制御装置から統合制御装置へ通知するステップと、呼制御装置と機能提供装置で管理しているセッションの対応付けを行い、関連付けられたセッション情報を統合制御装置から機能提供装置に通知するステップと、機能提供装置で、端末との間に設定されたセッションから得られる識別子相当情報と、統合制御装置から通知されたセッション情報とを照合し、照合したセッションを介して機能提供装置から端末へ機能を提供するステップとを有する。
【０００９】
さらに、機能提供装置で、端末との間に設定されたセッションから得られる識別子相当情報について、統合制御装置から通知される予定のセッション情報との照合ができないときに、当該セッションを切断するステップを有する。
【００１０】
また、セッションの特定に必要なセッション情報として、端末制御プロトコルで使用されているセッションを特定するためのＩＤを用いる。また、セッションの特定に必要なセッション情報として、端末制御プロトコルの発信者端末を特定するための情報領域を用いる。このとき、発信者端末の情報を統合制御装置で管理し、統合制御装置から機能提供装置に端末制御プロトコルの発信者端末を特定するための情報を通知するようにする。
【００１１】
【発明の実施の形態】
本発明のセッション管理システムは、図８または図９に示すＶｏＩＰ網に限定されるものではないが、ここではＶｏＩＰ網７１における端末７２、呼制御装置７３、機能提供装置７４，７６、統合制御装置７５に対応する構成として説明する。
【００１２】
図１は、本発明のセッション管理システムの構成例を示す。図において、端末４とのセッションを管理する少なくとも１つの呼制御装置１と、端末４に対して所定の機能を提供する少なくとも１つの機能提供装置２と、それらを統合して管理する統合制御装置３により構成される。
【００１３】
図２は、呼制御装置１の構成例を示す。呼制御装置１は、端末４を制御するためのプロトコルスタック１１と、プロトコルと統合制御装置３に提供するＡＰＩのマッピングを行うプロトコル−ＡＰＩマッピング処理部１２と、統合制御装置３との通信制御を行う通信制御部１３により構成される。
【００１４】
図３は、機能提供装置２の構成例を示す。機能提供装置２は、端末４とのセッションを終端するプロトコル終端部２１と、セッションの特定に必要な情報をプロトコル情報から収集するセッション情報収集部２２と、収集した情報と実際にプロトコル終端処理部２１で終端されているセッションを関連付けて管理するセッション管理部２３と、セッション管理部２３で管理されているセッションと統合制御装置３から通知されたセッション識別子を関連付けるプロトコルセッション−ＡＰＩセッション関連付け部２４と、セッションを介して端末４へ対応する機能を提供する機能提供部２５と、統合制御装置３との通信制御を行う通信制御部２６により構成される。
【００１５】
図４は、統合制御装置３の構成例を示す。統合制御装置３は、呼制御装置１との通信制御を行う通信制御部３１と、機能提供装置２との通信制御を行う通信制御部３２と、呼制御装置１と機能提供装置２で管理しているセッションの対応付けを行うセッション管理部３３と、サービスを行うために必要なセッションを選択し、呼制御装置１に対して転送するセッションや転送先の機能提供装置を選択し、セッションに対して提供する機能を選択するサービスロジック３４により構成される。
【００１６】
以下、図１〜図４および図５〜図７に示すフローチャートを参照して、本発明のセッション管理方法の処理手順の一例について説明する。
【００１７】
端末４からの接続要求１０１を呼制御装置１が受け付けると、呼制御装置１は呼が生起したことを示す端末収容通知１０２を統合制御装置３に通知する。総合制御装置３のサービスロジック３４は、発端末、着信ＩＤなどの情報から端末４に提供する適切な提供機能を有する機能提供装置２を判断し、呼制御装置１に対して機能提供装置への転送指示１０３を通知する。呼制御装置１は、機能提供装置への転送指示１０３を受信すると、端末４に転送指示１０４を通知するとともに、セッション識別子１０５を統合制御装置３に返す。統合制御装置３は、セッション識別子１０５を受信すると、端末４と機能提供装置２との間に確立予定のセッション識別子１０６を機能提供装置２に通知する。
【００１８】
一方、端末４は転送指示１０４により、端末４と機能提供装置２との間でセッション確立１０７を行う。機能提供装置２は、確立したセッションからセッションを識別するための識別子相当情報１０８を取得する。ここで、機能提供装置２は、統合制御装置３から受け取った確立予定セッション識別子１０６と識別子相当情報１０８との照合１０９を行い、照合が成立した場合には統合制御装置３から通知されるセッション識別子と端末への機能提供要求１１０に基づいて、そのセッションに対して通知された機能を提供するように機能提供指示１１１を行う。
【００１９】
また、図６に示すように、統合制御装置３から確立予定セッション識別子１０６が機能提供装置２に通知されることなく、端末４と機能提供装置２との間にセッション確立１０７が行われた場合には、機能提供装置２は確立したセッションから得た識別子相当情報１０８と照合を行うことができない。この場合には、セッション切断指示１１２を行う。
【００２０】
ここで、照合処理１０９におけるセッションの特定に必要なセッション情報として、端末制御プロトコルで使用されているセッションを特定するためのＩＤ、例えばＳＩＰメッセージにおける呼ＩＤを用いることができる。
【００２１】
また、セッションの特定に必要なセッション情報として、端末制御プロトコルの発信者端末を特定するための情報領域、例えばＳＩＰメッセージにおけるｆｒｏｍヘッダ情報を用いる場合には、図７に示す処理手順により発信者情報の欠落を防ぐようにする。すなわち、呼制御装置１から統合制御装置３に対して、発信端末情報（例えばＳＩＰのｆｒｏｍヘッダ情報）１２１を通知し、統合制御装置３はセッション識別子と発信端末情報の対の情報をセッション特定情報１２２として機能提供装置２に通知する。機能提供装置２では、端末４とのセッション確立１０７が行われたときに、セッション識別子で照合１０９を行う。このとき、セッション特定情報１２２から、このセッションの発信端末の情報を利用して発信者の特定を行うことができる。
【００２２】
【発明の効果】
以上説明したように、本発明は、呼制御装置と機能提供装置で分散している同一のセッションを同一のものとして扱うことができ、呼制御装置と統合制御装置の管理のもとで、機能提供装置から端末に対して対応する機能の提供を行うことができる。さらに、セッションを識別する識別子をプロトコル情報に埋め込んでおり、セッション識別情報が合致しない場合には機能の提供が行われないので、セキュリティを容易に確保することができる。
【００２３】
また、統合制御装置が複数の呼制御装置と機能提供装置を統合的に制御するシステム構成であるので、呼制御装置や機能提供装置の増減が容易であり、トラヒックの需要に応じて対応することができる。
【図面の簡単な説明】
【図１】本発明のセッション管理システムの構成例を示すブロック図。
【図２】呼制御装置１の構成例を示すブロック図。
【図３】機能提供装置２の構成例を示すブロック図。
【図４】統合制御装置３の構成例を示すブロック図。
【図５】セッション管理方法の処理手順を示すフローチャート。
【図６】セッション管理方法の処理手順を示すフローチャート。
【図７】セッション管理方法の処理手順を示すフローチャート。
【図８】ＶｏＩＰ網の構成例を示すブロック図。
【図９】ＶｏＩＰ網の構成例を示すブロック図。
【符号の説明】
１　呼制御装置
２　機能提供装置
３　統合制御装置
４　端末
１１　プロトコルスタック
１２　プロトコル−ＡＰＩマッピング処理部
１３　通信制御部
２１　プロトコル終端部
２２　セッション情報処理部
２３　セッション管理部
２４　プロトコルセッション−ＡＰＩセッション関連付け部
２５　機能提供部
２６　通信制御部
３１，３２　通信制御部
３３　セッション管理部
３４　サービスロジック
【図１】
2004080606.tif 000003
【図２】
2004080606.tif 000004
【図３】
2004080606.tif 000005
【図４】
2004080606.tif 000006
【図５】
2004080606.tif 000007
【図６】
2004080606.tif 000008
【図７】
2004080606.tif 000009
【図８】
2004080606.tif 000010
【図９】
2004080606.tif 000011